【手続補正書】
【提出日】平成25年5月31日(2013.5.31)
【手続補正１】
【補正対象書類名】明細書
【補正対象項目名】発明の名称
【補正方法】変更
【補正の内容】
【発明の名称】ジョブデータ送信装置、端末装置及びそれらの制御方法、並びにプログラム
【手続補正２】
【補正対象書類名】明細書
【補正対象項目名】０００１
【補正方法】変更
【補正の内容】
【０００１】
本発明は、ジョブデータ送信装置、端末装置及びそれらの制御方法、並びにプログラムに関し、特に、外部装置であるサーバー装置と連携してジョブを実行する際における省エネモードからの復帰制御に関する。
【手続補正３】
【補正対象書類名】明細書
【補正対象項目名】００２１
【補正方法】変更
【補正の内容】
【００２１】
従って、本発明の目的は、電力を無駄に消費することなく、ジョブデータの処理完了後、直ぐにジョブを実行することのできるジョブデータ送信装置、端末装置及びそれらの制御方法、並びにプログラムを提供することにある。
【手続補正４】
【補正対象書類名】明細書
【補正対象項目名】００２２
【補正方法】変更
【補正の内容】
【００２２】
上記目的を達成するために、請求項１記載のジョブデータ送信装置は、ジョブデータを端末装置に送信するジョブデータ送信装置であって、前記ジョブデータを生成する生成手段と、前記端末装置が前記ジョブデータを直ちに処理することができない第１状態であるか否かを判定する判定手段と、前記端末装置が、前記第１状態から前記ジョブデータを直ちに処理することができる第２状態へ遷移するのに要する時間を保持する保持手段と、前記生成手段によって前記ジョブデータを生成するのに要する時間と前記保持手段によって保持された時間とに基づいて、前記端末装置を前記第１状態から前記第２状態へ遷移させるための指示を前記端末装置に送信する指示手段と、を有することを特徴とする。
【手続補正５】
【補正対象書類名】明細書
【補正対象項目名】００２３
【補正方法】変更
【補正の内容】
【００２３】
本発明によれば、外部装置と端末装置とが連携してジョブ処理を行う環境において、省エネモードにある端末装置を適切なタイミングで省エネモードから復帰させることができる。この結果、端末装置において消費電力の削減を行うとともに、ジョブ処理の待ち時間の少なくすることができるという効果がある。
【手続補正６】
【補正対象書類名】特許請求の範囲
【補正対象項目名】全文
【補正方法】変更
【補正の内容】
【特許請求の範囲】
【請求項１】
ジョブデータを端末装置に送信するジョブデータ送信装置であって、
前記ジョブデータを生成する生成手段と、
前記端末装置が前記ジョブデータを直ちに処理することができない第１状態であるか否かを判定する判定手段と、
前記端末装置が、前記第１状態から前記ジョブデータを直ちに処理することができる第２状態へ遷移するのに要する時間を保持する保持手段と、
前記生成手段によって前記ジョブデータを生成するのに要する時間と前記保持手段によって保持された時間とに基づいて、前記端末装置を前記第１状態から前記第２状態へ遷移させるための指示を前記端末装置に送信する指示手段と、
を有することを特徴とするジョブデータ送信装置。
【請求項２】
前記指示手段は、前記生成手段によって前記ジョブデータを生成するのに要する時間と前記保持手段によって保持された時間の時間差に基づいて、前記端末装置を前記第１状態から前記第２状態へ遷移させるための指示を前記端末装置に送信することを特徴とする請求項１記載のジョブデータ送信装置。
【請求項３】
前記第１状態は、前記第２状態に比べて前記端末装置の消費電力が少ない状態であることを特徴とする請求項１又は２記載のジョブデータ送信装置。
【請求項４】
前記指示手段によって指示を送信した後、前記ジョブデータを前記端末装置に送信する送信手段を更に有することを特徴とする請求項１から３のいずれか１項に記載のジョブデータ送信装置。
【請求項５】
前記生成手段は、ネットワークを介して接続された情報処理装置からの要求に応じて前記ジョブデータを生成することを特徴とする請求項１から４のいずれか１項に記載のジョブデータ送信装置。
【請求項６】
前記生成手段は、前記端末装置からの要求に応じて前記ジョブデータを生成することを特徴とする請求項１から４のいずれか１項に記載のジョブデータ送信装置。
【請求項７】
前記端末装置はプリンタであり、前記ジョブデータは印刷データであることを特徴とする請求項１から６のいずれか１項に記載のジョブデータ送信装置。
【請求項８】
ホストコンピュータ及び外部装置に接続可能な端末装置であって、
ジョブデータを直ちに処理することができない第１状態に遷移する遷移手段と、
前記遷移手段によって前記第１状態に遷移した後、前記ホストコンピュータから前記ジョブデータを受信した場合、前記第１の状態を維持したまま、前記受信したジョブデータを前記外部装置に転送する転送手段と、
前記転送手段によって前記ジョブデータを転送した後、前記外部装置から、前記第１状態から前記ジョブデータを直ちに処理することができる第２状態へ遷移する指示を受信する受信手段と、
前記外部装置で処理された前記ジョブデータを受信するデータ受信手段と、
前記受信した指示に応じて前記第１状態から前記第２状態へ遷移した後、前記データ受信手段によって受信された前記ジョブデータを処理する処理手段と、
を有することを特徴とする端末装置。
【請求項９】
前記ホストコンピュータから受信した前記ジョブデータを前記外部装置に処理させるか否かを判断する判断手段を更に有し、
前記判断手段によって前記外部装置に処理させると判断された場合に、前記転送手段は前記ジョブデータを前記外部装置に転送し、前記判断手段によって前記外部装置に処理させると判断されなかった場合に、前記受信手段によって受信される指示を待つことなく、前記第１状態から前記第２状態へ遷移することを特徴とする請求項８記載の端末装置。
【請求項１０】
ジョブデータを端末装置に送信するジョブデータ送信装置の制御方法であって、
前記ジョブデータを生成する生成工程と、
前記端末装置が、前記ジョブデータを直ちに処理することができない第１状態であるか否かを判定する判定工程と、
前記端末装置が前記第１状態から前記ジョブデータを直ちに処理することができる第２状態へ遷移するのに要する時間を保持する保持工程と、
前記生成工程において前記ジョブデータを生成するのに要する時間と前記保持工程において保持された時間とに基づいて、前記端末装置を前記第１状態から前記第２状態へ遷移させるための指示を前記端末装置に送信する指示工程と、
を有することを特徴とするジョブデータ送信装置の制御方法。
【請求項１１】
ホストコンピュータ及び外部装置に接続可能な端末装置の制御方法であって、
ジョブデータを直ちに処理することができない第１状態に遷移する遷移工程と、
前記遷移工程において前記第１状態に遷移した後、前記ホストコンピュータから前記ジョブデータを受信した場合、前記第１の状態を維持したまま、前記受信したジョブデータを前記外部装置に転送する転送工程と、
前記転送工程において前記ジョブデータを転送した後、前記外部装置から、前記第１状態から前記ジョブデータを直ちに処理することができる第２状態へ遷移する指示を受信する受信工程と、
前記外部装置で処理された前記ジョブデータを受信するデータ受信工程と、
前記受信した指示に応じて前記第１状態から前記第２状態へ遷移した後、前記データ受信工程において受信された前記ジョブデータを処理する処理工程と、
を有することを特徴とする端末装置の制御方法。
【請求項１２】
請求項１０記載のジョブデータ送信装置の制御方法をコンピュータに実行させるためのプログラム。
【請求項１３】
請求項１１記載の端末装置の制御方法をコンピュータに実行させるためのプログラム。